(57)【特許請求の範囲】
【請求項１】
ディスク型記録媒体を再生して再生情報を供給するドライブと、前記ドライブとは別体として構成され、ディスク型記録媒体を再生して再生情報を供給する別体情報源とを含む複数の情報源を選択し、選択した情報源から供給される再生情報を再生する再生手段と、
複数の前記情報源において再生された前記ディスク型記録媒体に固有のＴＯＣ情報を記憶するメモリと、
前記ドライブにおいて再生された前記ディスク型記録媒体に対応する副情報を記憶する副情報記憶手段と、前記別体情報源側に設けられ、前記別体情報源において再生された前記ディスク型記録媒体に対応する副情報を記憶する別体側副情報記憶手段と、
前記再生手段により選択した前記情報源から供給される再生情報を再生する際に、当該情報源において再生される前記ディスク型記録媒体に対応する副情報を、前記副情報記憶手段または前記別体側副情報記憶手段から取得する制御手段と、
前記制御手段により取得された副情報を出力する副情報出力手段とを備え、
前記制御手段は、前記副情報記憶手段または前記別体側副情報記憶手段のいずれか一方に、再生中の前記ディスク型記録媒体に対応する副情報が含まれていない場合には、他方に記憶された副情報を取得すること、
を特徴とする情報再生装置。
【請求項２】
ユーザの操作に応じて前記副情報を入力する入力手段をさらに備え、
前記副情報記憶手段および前記別体側情報記憶手段は、前記入力手段により入力された副情報を記憶するものであることを特徴とする請求項１記載の情報再生装置。
【請求項３】
前記情報源は、前記再生情報として音楽データを供給するものであって、
当該情報再生装置は、車室内に設置され、前記音楽データをもとに音声を再生出力する車載音響装置であることを特徴とする請求項１または２記載の情報再生装置。
【請求項４】
ディスク型記録媒体を再生して再生情報を供給するドライブと、前記ドライブとは別体として構成され、ディスク型記録媒体を再生して再生情報を供給する別体情報源とを含む複数の情報源を選択して、選択した情報源から供給される再生情報を再生するとともに、複数の前記情報源において再生された前記ディスク型記録媒体に固有のＴＯＣ情報をメモリに記憶し、前記ドライブにおいて再生された前記ディスク型記録媒体に対応する副情報を副情報記憶手段に記憶し、前記別体情報源において再生された前記ディスク型記録媒体に対応する副情報を前記別体情報源側に設けられた別体側副情報記憶手段に記憶した情報再生装置において、
選択した前記情報源から供給される再生情報を再生する際に、当該再生情報に対応する副情報を前記副情報記憶手段または前記別体側副情報記憶手段から取得し、前記副情報記憶手段または前記別体側副情報記憶手段のいずれか一方に、再生中の前記ディスク型記録媒体に対応する副情報が含まれていない場合には、他方に記憶された副情報を取得し、取得した副情報を出力すること、
を特徴とする情報再生方法。
【請求項５】
ディスク型記録媒体を再生して再生情報を供給するドライブと、前記ドライブとは別体として構成され、ディスク型記録媒体を再生して再生情報を供給する別体情報源とを含む複数の情報源を選択して、選択した情報源から供給される再生情報を再生するとともに、複数の前記情報源において再生された前記ディスク型記録媒体に固有のＴＯＣ情報をメモリに記憶し、前記ドライブにおいて再生された前記ディスク型記録媒体に対応する副情報を副情報記憶手段に記憶し、前記別体情報源において再生された前記ディスク型記録媒体に対応する副情報を前記別体情報源側に設けられた別体側副情報記憶手段に記憶し、この副情報記憶手段および別体側副情報記憶手段に記憶した副情報を出力する情報再生装置をコンピュータにより制御するためのプログラムであって、
前記コンピュータにより、
選択した前記情報源から供給される再生情報を再生する際に、当該再生情報に対応する副情報を前記副情報記憶手段または前記別体側副情報記憶手段から取得し、前記副情報記憶手段または前記別体側副情報記憶手段のいずれか一方に、再生中の前記ディスク型記録媒体に対応する副情報が含まれていない場合には、他方に記憶された副情報を取得し、取得した副情報を出力すること、
を特徴とするプログラム。
【発明の詳細な説明】
【技術分野】
【０００１】
本発明は、情報源から供給される再生情報を再生する情報再生装置、情報再生方法、及び、プログラムに関する。
【背景技術】
【０００２】
従来、音声等の情報を格納した記録媒体から情報を読み出して再生する再生装置において、各記録媒体に対応して副次的な情報を記憶しておき、記録媒体の情報を再生する際に、その記録媒体に対応して記憶された副次的な情報を読み出して出力するものがあった（例えば、特許文献１参照。）。具体的には、音楽が記録されたディスクからデータを読み出して音声を再生出力する音響再生装置において、管理情報としてディスクタイトル等を記憶しておき、音声の再生中にディスクタイトル等を表示し、ユーザの利便性を高めようとするものがあった。
【特許文献１】特許第２６０６１７８号公報
【発明の開示】
【発明が解決しようとする課題】
【０００３】
しかしながら、上記従来の再生装置では、再生する情報に対応した副次的な情報が記憶されていない場合は、その出力を行えないという問題があった。上記の具体例では、再生中の音声に対応するディスクタイトル等を音響再生装置自体が記憶していなければ、ディスクタイトルを表示できなかった。これを回避するには、再生しようとする全てのディスクについて、当該音響再生装置にディスクタイトル等を記憶しておかなければならず、その目的たるユーザの利便性が損なわれるという問題があった。
【０００４】
本発明は、上述した事情に鑑みてなされたものであり、情報源から情報を取得して再生するとともに、再生中の情報に対応する副次的な情報を出力する再生装置において、当該再生装置が副次的な情報を記憶していない場合であっても、副次的な情報を出力できるようにすることを目的としている。
【課題を解決するための手段】
【０００５】
上記課題を解決するため、本発明は、ディスク型記録媒体を再生して再生情報を供給するドライブと、前記ドライブとは別体として構成され、ディスク型記録媒体を再生して再生情報を供給する別体情報源とを含む複数の情報源を選択し、選択した情報源から供給される再生情報を再生する再生手段と、複数の前記情報源において再生された前記ディスク型記録媒体に固有のＴＯＣ情報を記憶するメモリと、前記ドライブにおいて再生された前記ディスク型記録媒体に対応する副情報を記憶する副情報記憶手段と、前記別体情報源側に設けられ、前記別体情報源において再生された前記ディスク型記録媒体に対応する副情報を記憶する別体側副情報記憶手段と、前記再生手段により選択した前記情報源から供給される再生情報を再生する際に、当該情報源において再生される前記ディスク型記録媒体に対応する副情報を、前記副情報記憶手段または前記別体側副情報記憶手段から取得する制御手段と、前記制御手段により取得された副情報を出力する副情報出力手段とを備え、前記制御手段は、前記副情報記憶手段または前記別体側副情報記憶手段のいずれか一方に、再生中の前記ディスク型記録媒体に対応する副情報が含まれていない場合には、他方に記憶された副情報を取得することを特徴としている。
この構成によれば、複数の情報源を選択して再生情報を再生する機能を有する情報再生装置において、選択した情報源に対応して記憶された副情報の中に、再生中の再生情報に対応する副情報が含まれていない場合には、他の情報源に対応して記憶された副情報を取得して出力するので、いずれかの情報源に対応して副情報が記憶されていれば、適切な副情報を出力できる。また、全ての情報源毎に全ての再生情報に対応する副情報を記憶していなくても副情報を出力できる。これにより、副情報の管理に係る手間を著しく軽減し、利便性を高めることができる。
【０００６】
本発明において、前記制御手段は、選択した前記情報源に対応して前記副情報記憶手段に記憶された副情報に、再生中の再生情報に対応する副情報が含まれていない場合には、他の前記情報源に対応して前記副情報記憶手段に記憶された副情報の中から、再生中の再生情報に対応する副情報を取得するものとしてもよい。
【０００７】
また、本発明において、ユーザの操作に応じて前記副情報を入力する入力手段をさらに備え、前記副情報記憶手段および前記別体側情報記憶手段は、前記入力手段により入力された副情報を記憶する構成としてもよい。
【０００８】
さらに、本発明において、前記情報源は、前記再生情報として音楽データを供給するものであって、当該情報再生装置は、車室内に設置され、前記音楽データをもとに音声を再生出力する車載音響装置として構成してもよい。
【０００９】
本発明の情報再生方法は、ディスク型記録媒体を再生して再生情報を供給するドライブと、前記ドライブとは別体として構成され、ディスク型記録媒体を再生して再生情報を供給する別体情報源とを含む複数の情報源を選択して、選択した情報源から供給される再生情報を再生するとともに、複数の前記情報源において再生された前記ディスク型記録媒体に固有のＴＯＣ情報をメモリに記憶し、前記ドライブにおいて再生された前記ディスク型記録媒体に対応する副情報を副情報記憶手段に記憶し、前記別体情報源において再生された前記ディスク型記録媒体に対応する副情報を前記別体情報源側に設けられた別体側副情報記憶手段に記憶した情報再生装置において、選択した前記情報源から供給される再生情報を再生する際に、当該再生情報に対応する副情報を前記副情報記憶手段または前記別体側副情報記憶手段から取得し、前記副情報記憶手段または前記別体側副情報記憶手段のいずれか一方に、再生中の前記ディスク型記録媒体に対応する副情報が含まれていない場合には、他方に記憶された副情報を取得し、取得した副情報を出力することを特徴としている。
この構成によれば、複数の情報源を選択して再生情報を再生する機能を有する情報再生装置において、選択した情報源に対応して記憶された副情報の中に、再生中の再生情報に対応する副情報が含まれていない場合には、他の情報源に対応して記憶された副情報を取得して出力するので、いずれかの情報源に対応して副情報が記憶されていれば、適切な副情報を出力できる。また、全ての情報源毎に全ての再生情報に対応する副情報を記憶していなくても副情報を出力できる。これにより、副情報の管理に係る手間を著しく軽減し、利便性を高めることができる。
【００１０】
本発明のプログラムは、ディスク型記録媒体を再生して再生情報を供給するドライブと、前記ドライブとは別体として構成され、ディスク型記録媒体を再生して再生情報を供給する別体情報源とを含む複数の情報源を選択して、選択した情報源から供給される再生情報を再生するとともに、複数の前記情報源において再生された前記ディスク型記録媒体に固有のＴＯＣ情報をメモリに記憶し、前記ドライブにおいて再生された前記ディスク型記録媒体に対応する副情報を副情報記憶手段に記憶し、前記別体情報源において再生された前記ディスク型記録媒体に対応する副情報を前記別体情報源側に設けられた別体側副情報記憶手段に記憶し、この副情報記憶手段および別体側副情報記憶手段に記憶した副情報を出力する情報再生装置をコンピュータにより制御するためのプログラムであって、前記コンピュータにより、選択した前記情報源から供給される再生情報を再生する際に、当該再生情報に対応する副情報を前記副情報記憶手段または前記別体側副情報記憶手段から取得し、前記副情報記憶手段または前記別体側副情報記憶手段のいずれか一方に、再生中の前記ディスク型記録媒体に対応する副情報が含まれていない場合には、他方に記憶された副情報を取得し、取得した副情報を出力することを特徴としている。
この構成によれば、複数の情報源を選択して再生情報を再生する機能を有する情報再生装置において、選択した情報源に対応して記憶された副情報の中に、再生中の再生情報に対応する副情報が含まれていない場合には、他の情報源に対応して記憶された副情報を取得して出力するので、いずれかの情報源に対応して副情報が記憶されていれば、適切な副情報を出力できる。また、全ての情報源毎に全ての再生情報に対応する副情報を記憶していなくても副情報を出力できる。これにより、副情報の管理に係る手間を著しく軽減し、利便性を高めることができる。
【発明の効果】
【００１１】
本発明によれば、複数の情報源を選択して再生情報を再生する機能を有する情報再生装置において、いずれかの情報源に対応して副情報が記憶されていれば、適切な副情報を出力でき、また、全ての情報源毎に全ての再生情報に対応する副情報を記憶していなくても副情報を出力できる。これにより、副情報の管理に係る手間を著しく軽減し、利便性を高めることができる。
【発明を実施するための最良の形態】
【００１２】
以下、図面を参照しつつ本発明の実施の形態について説明する。
図１は、本発明を適用した実施の形態におけるオーディオ装置１の構成を示す図である。この図１に示すように、オーディオ装置１は、情報再生装置としてのセンターユニット２、及び、センターユニット２とは別体に構成され、複数のディスク型記録媒体４から情報を読み出すことが可能なチェンジャーユニット３を備えて構成される。
【００１３】
オーディオ装置１は、例えば自動車の車室内に配設され、同じく車室内に配設されたスピーカ（図示略）に対して音声信号を出力し、車室内の音響再生を行うものである。
オーディオ装置１は、センターユニット２にドライブ２０（情報源）を備えるとともに、チェンジャーユニット３に、複数のディスク型記録媒体４をセットすることが可能なチェンジャー３２（情報源）を備え、これらドライブ２０及びチェンジャー３２にセットされたディスク型記録媒体４から音楽データ（再生情報）を読み出すことにより、音声信号を出力する。
ここで、ディスク型記録媒体４としては、音楽データを格納したもの（例えば、ＣＤ−ＤＡ規格に準じたオーディオＣＤ、ミニディスク、ＤＶＤ−Ａｕｄｉｏ等）や、映像データと音楽データとを格納したもの（例えば、ＤＶＤ−Ｖｉｄｅｏ等）を用いることが可能であるが、本実施の形態においてはオーディオＣＤを用いた場合について説明する。
【００１４】
図１に示すように、センターユニット２は、上述したドライブ２０の他、センターユニット２の各部を制御する制御部２１（制御手段）、音楽データの再生及び音楽情報格納部２３への録音を行う記録再生部２２（再生手段）、記録再生部２２によって録音される音楽データを記憶する音楽情報格納部２３（情報源）、ドライブ２０により読み出しされるディスク型記録媒体４に係る情報を記憶するメモリ２４（副情報記憶手段）、チェンジャーユニット３との間で音楽データや各種制御信号を送受信するインタフェース２５、ユーザが入力操作を行う入力部２６（入力手段）、及び、制御部２１の制御に従って情報を表示する表示部２７（副情報出力手段）を備え、これらの各部は相互に接続される。
また、チェンジャーユニット３は、上述したチェンジャー３２に加え、チェンジャー３２により読み出しされるディスク型記録媒体４に係る情報を記憶する情報記憶部３１（副情報記憶手段）を備える。
【００１５】
この図１に示すオーディオ装置１は、複数の動作モードを切り換えて実行可能に構成される。詳細に説明すると、図２に示すように、オーディオ装置１の動作モードとしては、ＣＤモード、チェンジャーモード、及びＭＣ（メモリオーディオ）モードの３つのモードがある。
このうち、ＣＤモードは、センターユニット２が備えるドライブ２０を音源とする動作モードであり、ドライブ２０にセットされたディスク型記録媒体４から読み出された音楽データが、記録再生部２２に入力される。
このＣＤモードにおいて、記録再生部２２は、音源としてドライブ２０を選択し、ドライブ２０から入力される音楽データに基づいて音声の再生を行うと同時に、当該音楽データのデータフォーマットを変換（符号化）して音楽情報格納部２３に格納する録音動作を行う。
また、チェンジャーモードは、チェンジャーユニット３が備えるチェンジャー３２を音源とする動作モードである。このチェンジャーモードにおいて、記録再生部２２は、音源としてチェンジャー３２を選択し、チェンジャー３２にセットされた複数のディスク型記録媒体４から読み出された音楽データが記録再生部２２に入力される。
このチェンジャーモードで、記録再生部２２は、チェンジャー３２から入力される音楽データに基づいて音声の再生を行うと同時に、当該音楽データのデータフォーマットを変換（符号化）して音楽情報格納部２３に格納する録音動作を行う。
さらに、ＭＣモードは、ＣＤモードまたはチェンジャーモードにおいて音楽情報格納部２３に格納された音楽データに基づく動作モードである。このＭＣモードにおいて、記録再生部２２は、音源として音楽情報格納部２３を選択し、音楽情報格納部から音楽データを取得して、データフォーマットの変換（復号）を行い、再生して音声信号を出力する動作モードである。
このように、オーディオ装置１の３つの動作モードにおいては、それぞれ異なる音源が選択され、選択された音源から供給される音楽データに基づいて、音声が再生される。
【００１６】
ここで、ＣＤモード及びチェンジャーモードにおいて符号化された音楽データを格納する音楽情報格納部２３について説明する。
図３は、音楽情報格納部２３の論理的構成を示す図である。
この図３に示すように、音楽情報格納部２３にはデータ格納領域として上位フォルダが設けられ、この上位フォルダ内には複数のフォルダ（フォルダ１、フォルダ２、…フォルダｎ）が設けられ、階層構造をなしている。
なお、図３に示す構成はあくまで論理的なものであり、上位フォルダ及びフォルダ１〜ｎの階層構造は仮想的に構築される。従って、音楽情報格納部２３の格納領域が図３に示す通りに物理的に分割されている必要はない。
【００１７】
フォルダ１〜ｎの各フォルダは、それぞれ、１つのディスク型記録媒体４に対応する。そして、当該ディスク型記録媒体４に格納された曲に対応するトラックが、対応するフォルダ内に格納される。
例えば、図３中のフォルダ１には、トラックａ〜ｃの３トラックが格納されている。これは、フォルダ１が対応するディスク型記録媒体４から３曲分の音楽データが読み出され、録音されたことを示している。同様に、フォルダ２には１曲に相当するトラックｄが格納され、フォルダ３には５曲に相当するトラックｅ〜ｉが格納されている。
【００１８】
さらに、音楽情報格納部２３に格納される各フォルダに対応づけて、メモリ２４には、ＴＯＣ（Table Of Contents）情報が記憶される。オーディオ装置１において使用されるディスク型記録媒体４は、その内容に応じて固有のＴＯＣ情報が記録されている。上記のＣＤモード及びチェンジャーモードにおいて、記録再生部２２は、ディスク型記録媒体４の音楽データを読み出して録音を行う際に、録音中のディスク型記録媒体４に記録されているＴＯＣ情報を読み出し、このＴＯＣ情報を、当該ディスク型記録媒体４に対応して音楽情報格納部２３に設けられるフォルダに対応づけて、メモリ２４に記憶する。
このようにＴＯＣ情報をメモリ２４に記憶することにより、例えばＣＤモードでドライブ２０にセットされたディスク型記録媒体４について、同じ内容のディスク型記録媒体４を以前に録音したか否か等が判別され、同じ内容のディスク型記録媒体４から複数回にわたって録音してしまうといった事がない。
【００１９】
また、オーディオ装置１においては、上記の動作モードの実行中に表示部２７に表示させるタイトルを、ユーザが入力して設定することができる。このタイトルには、各フォルダに対応づけて記憶されるユーザタイトル（副情報）と、動作モードに対応づけて記憶されるデフォルトのタイトルとがある。
ユーザタイトルは、例えばＣＤモードまたはチェンジャーモードにおいて音楽データを録音中に、入力部２６の入力操作により入力され、音楽情報格納部２３のフォルダと一対一に対応づけられる。また、デフォルトのタイトルは、ＣＤモード、チェンジャーモード、及びＭＣモードの各々に対応づけてメモリ２４に記憶され、各動作モードの実行中に表示部２７に表示される。
【００２０】
ＣＤモードにおいて、ドライブ２０にセットされたディスク型記録媒体４から音楽データを読み出して録音する際に、入力部２６の操作によりユーザタイトルが入力されると、このユーザタイトルは、録音中のフォルダ（例えば、フォルダ１）及び当該フォルダに対応してメモリ２４に記憶されたＴＯＣ情報に対応づけて、メモリ２４に記憶される。この結果、メモリ２４には、録音中のフォルダに対応するＴＯＣ情報及びユーザタイトルが記憶される。
また、チェンジャーモードにおいて、チェンジャー３２にセットされたディスク型記録媒体４から音楽データを読み出して録音する際に、入力部２６の操作によりユーザタイトルが入力されると、このユーザタイトルは録音中のフォルダ（例えば、フォルダ１）に対応づけて、チェンジャーユニット３の情報記憶部３１に記憶される。この場合、録音中のフォルダに対応するＴＯＣ情報がメモリ２４に記憶され、対応するユーザタイトルが情報記憶部３１に記憶される。
このように、ＣＤモード録音されたディスク型記録媒体４には、対応するユーザタイトルがメモリ２４に記憶され、チェンジャーモードで録音されたディスク型記録媒体４には、対応するユーザタイトルが情報記憶部３１に記憶される。
【００２１】
ＭＣモードにおいて、音楽情報格納部２３のフォルダ（例えば、フォルダ１）の音楽データ（トラックａ〜ｃのいずれか）が再生される際には、制御部２１は、後述する表示処理（図４）を実行し、フォルダ１に対応づけてディスク型記録媒体４に記憶されたユーザタイトルを読み出して表示部２７により表示させる。
ここで、ＭＣモードで音楽データを再生する際に、その音楽データを含むフォルダに対応するユーザタイトルが入力されていなければ、ユーザタイトルがメモリ２４に記憶されていない。この場合、制御部２１は、ＭＣモードに対応づけてメモリ２４に記憶されたデフォルトのタイトルを読み出して、表示部２７により表示させる。
また、ＭＣモードにおいて、チェンジャーモードで録音されたフォルダ（例えば、フォルダ２）の音楽データを再生する場合は、フォルダ２に対応するユーザタイトルは情報記憶部３１に記憶されており、メモリ２４には記憶されていない。この場合、本実施の形態のオーディオ装置１は、ＭＣモードで動作中であっても、情報記憶部３１に記憶されたユーザタイトルを取得して再生する機能を有する。
【００２２】
以下、オーディオ装置１の詳細な構成及び動作について説明する。
図１に示す制御部２１は、入力部２６における操作に従って、センターユニット２の各部の制御を行う。また、制御部２１は、入力部２６から入力される指示に従ってセンターユニット２の各部を制御し、入力部２６からの指示によりＣＤモードが指定された場合には、記録再生部２２を制御してＣＤモードの動作を行わせ、チェンジャーモードが指定された場合には記録再生部２２を制御してチェンジャーモードの動作を行わせ、ＭＣモードが指定された場合には記録再生部２２を制御してＭＣモードの動作を行わせる。
【００２３】
また、制御部２１は、記録再生部２２が音楽データを録音中に、入力部２６の操作によりユーザタイトルが入力された場合、実行中の動作モードに応じて、メモリ２４または情報記憶部３１にユーザタイトルを記憶させる。
そして、制御部２１は、記録再生部２２がＭＣモードで動作中に、表示処理（図４）を実行し、記録再生部２２により再生中の音楽データに対応するユーザタイトルがメモリ２４に記憶されているか否かを判別し、ユーザタイトルが表示されていれば表示部２７によって表示させ、記憶されていない場合には、チェンジャーモードで情報記憶部３１に記憶されたユーザタイトルを読み出して表示部２７により表示させる。
【００２４】
記録再生部２２は、上述のように、ＣＤモードにおいてドライブ２０にセットされたディスク型記録媒体４の音楽データを再生するとともに、再生中の音楽データを符号化して音楽情報格納部２３に格納する録音動作を行う。また、記録再生部２２は、チェンジャーモードにおいて、チェンジャー３２にセットされた複数のディスク型記録媒体４のうち、１のディスク型記録媒体４を選択する。この選択は入力部２６により入力される指示に従う。そして、記録再生部２２は、選択したディスク型記録媒体４の音楽データをチェンジャー３２によって読み出させ、読み出された音楽データを再生するとともに、再生中の音楽データを符号化して音楽情報格納部２３に格納する録音動作を行う。
【００２５】
音楽情報格納部２３は、磁気的記録媒体、光学的記録媒体、或いは半導体記憶素子を用いた記録装置を備えて構成され、記録再生部２２によるＣＤモードの録音動作、及び、記録再生部２３によるＭＣモードの録音動作において、音楽データを格納する。
【００２６】
インタフェース２５は、センターユニット２の外部に設置されたチェンジャーユニット３に接続され、チェンジャーユニット３との間で、所定の通信プロトコルに従って各種データ及び制御信号等を送受信するインタフェースである。
入力部２６は、ユーザにより操作される各種キー、ボタン、スイッチ等の操作部を備え、これら操作部における操作に対応した操作信号を生成し、制御部２１へ出力する。
表示部２７は、ＬＣＤ（液晶ディスプレイ）パネル等の表示画面を備え、制御部２１から入力される表示情報に従って表示画面を駆動し、各種の情報を表示出力する。
【００２７】
チェンジャーユニット３が有するチェンジャー３２は、複数のディスク型記録媒体４をセット可能に構成され、センターユニット２から送信される指示に従って、これら複数のディスク型記録媒体４を切り換え、ディスク型記録媒体４に格納された音楽データの読み出しを行う。また、情報記憶部３１は、上述したユーザタイトルをはじめとする各種情報を記憶する。
【００２８】
図４は、記録再生部２２によってＭＣモードの実行中に、制御部２１により実行される表示処理を示すフローチャートである。
図４に示す表示処理において、制御部２１は、まず、記録再生部２２によって音楽情報格納部２３内の音楽データ（トラック）を再生させ（ステップＳ１）、再生中の音楽データを含むフォルダに対応してメモリ２４に記憶されたＴＯＣ情報に基づいて、当該フォルダに対応するユーザタイトルがメモリ２４に記憶されているか否かを判別する（ステップＳ２）。
【００２９】
対応するユーザタイトルがメモリ２４に記憶されていた場合（ステップＳ２；Ｙｅｓ）、制御部２１は、このユーザタイトルを読み出して（ステップＳ３）、表示部２７によってユーザタイトルを表示させ（ステップＳ４）、本処理を終了する。
【００３０】
また、対応するユーザタイトルがメモリ２４に記憶されていない場合（ステップＳ２；Ｎｏ）、制御部２１は、再生中の音楽データを含むフォルダに対応してメモリ２４に記憶されたＴＯＣ情報に基づいて、当該フォルダに対応するユーザタイトルが情報記憶部３１に記憶されているか否かを判別する（ステップＳ５）。
ここで、情報記憶部３１において、対応するユーザタイトルが記憶されていない場合（ステップＳ５；Ｎｏ）、制御部２１は、ＭＣモードに対応づけてメモリ２４に記憶されたデフォルトのタイトルを表示部２７によって表示させ（ステップＳ６）、本処理を終了する。
【００３１】
また、対応するユーザタイトルが情報記憶部３１に記憶されていた場合（ステップＳ５；Ｙｅｓ）、制御部２１は、チェンジャーユニット３に対して情報記憶部３１内のユーザタイトルを送信するよう要求し（ステップＳ７）、この要求に応じてチェンジャーユニット３から送信されたユーザタイトルを取得して（ステップＳ８）、表示部２７によって表示させ（ステップＳ９）、本処理を終了する。
【００３２】
以上のように、本発明を適用した実施の形態では、ドライブ２０により読み出される音楽データを再生するＣＤモードと、チェンジャー３２により読み出される音楽データを再生するチェンジャーモードと、音楽情報格納部２３に記憶された音楽データを再生するＭＣモードとを切り換えて実行可能なオーディオ装置１において、ＭＣモードで音楽データを再生中に、再生中の音楽データを含むフォルダに対応するユーザタイトルがある場合には、そのユーザタイトルが表示部２７により表示される。そして、再生中の音楽データを含むフォルダに対応したユーザタイトルが、メモリ２４に記憶されていない場合には、情報記憶部３１に記憶されたユーザタイトルの中から再生中の音楽データに対応するユーザタイトルを取得して、表示部２７により表示する。
【００３３】
メモリ２４に記憶されたユーザタイトルはＣＤモードで録音された音楽データに対応したもので、情報記憶部３１に記憶されたユーザタイトルはチェンジャーモードで録音された音楽データに対応したものであるが、オーディオ装置１は、異なるモードで録音された音楽データに対応するユーザタイトルであっても、速やかに取得して表示部２７に表示させる。
これにより、オーディオ装置１で使用する全てのディスク型記録媒体４に対応するユーザタイトルの全てを、メモリ２４に記憶しておく必要がない。換言すれば、オーディオ装置１において使用されたディスク型記録媒体４について、ユーザタイトルが入力されていた場合には、そのディスク型記録媒体４から録音した動作モードがＣＤモードかチェンジャーモードかを問わず、ユーザタイトルを利用できる。
【００３４】
このように、オーディオ装置１は、ＭＣモードの実行中であっても、ＣＤモードに対応してメモリ２４に記憶されたユーザタイトルを利用可能であり、さらに該当するユーザタイトルがメモリ２４に記憶されていない場合には、チェンジャーモードに対応して情報記憶部３１に記憶されたユーザタイトルを取得する。従って、オーディオ装置１においては、動作モードに関わりなく、すなわち、音楽情報格納部２３、ドライブ２０及びチェンジャー３２のいずれを音源として利用するかに関わらず、ユーザタイトルを利用できる。このため、いずれかの動作モードに対応してユーザタイトルが記憶されていればよいので、ユーザは、一つのディスク型記録媒体４について１回だけユーザタイトルを入力しておけばよく、ユーザタイトルの入力及び管理に係る手間を大幅に減らすことが可能となり、利便性を高めることができる。そして、ユーザは、ディスク型記録媒体４をセットする対象がドライブ２０であるかチェンジャー３２であるかを気にする必要がないので、より手軽にオーディオ装置１を利用することができ、ユーザタイトルを表示する機能を活用できる。
【００３５】
さらに、再生中の音楽データに該当するユーザタイトルがメモリ２４に記憶されていない場合には、チェンジャーモードに対応して情報記憶部３１に記憶されたユーザタイトルの中から、再生中の音楽データを含むフォルダと同じディスク型記録媒体４について記憶されたユーザタイトルを取得するので、関係のないユーザタイトルが表示部２７に表示されることがない。このため、常にユーザが求めるユーザタイトルを表示できる。
【００３６】
なお、上述した実施の形態は、本発明の一実施態様を示すものであり、本発明の範囲内で任意に変形及び応用可能であることは勿論である。例えば、上述した実施の形態では、ディスク型記録媒体４を再生するチェンジャーユニット３をセンターユニット２に接続した構成を例示したが、本発明はこれに限定されず、例えば、半導体記憶素子に音楽データを格納した装置を、センターユニット２のインタフェース２５に接続してもよい。また、オーディオ装置１にラジオ放送やテレビ放送を受信するチューナーを設けた構成とし、上記動作モードとして、このチューナーにより受信された放送の音声を出力するチューナーモードを有する構成としてもよい。この場合、さらに、受信された放送の音声を符号化して音楽情報格納部２３に録音し、録音した音声をＭＣモードで再生できるようにしてもよい。さらに、上記実施の形態では、制御部２１により取得したユーザタイトルを表示部２７によって表示するものとしたが、本発明はこれに限定されるものではなく、例えば、音声によりユーザタイトルを出力してもよいし、オーディオ装置１に接続されたカーナビゲーション装置やテレビ受像機が有する表示画面において、ユーザタイトルを表示してもよい。また、本発明は、音声以外の情報を再生する場合についても適用可能であり、さらに、自動車の車室内以外の場所に設置されるオーディオ装置に適用してもよく、音声を再生するオーディオ装置とは異なる種類の装置に適用することも可能である。
【図面の簡単な説明】
【００３７】
【図１】本発明の実施の形態にかかるオーディオ装置の概略的構成を示すブロック図である。
【図２】オーディオ装置の動作モードの説明図である。
【図３】音楽情報格納部の論理的構成を示す図である。
【図４】ＭＣモードの再生動作における表示処理を示すフローチャートである。
【符号の説明】
【００３８】
１  オーディオ装置
２  センターユニット
３  チェンジャーユニット
４  ディスク型記録媒体
２０  ドライブ（情報源）
２１  制御部（制御手段）
２２  記録再生部（再生手段）
２３  音楽情報格納部（情報源）
２４  メモリ（副情報記憶手段）
２５  インタフェース
２６  入力部（入力手段）
２７  表示部（副情報出力手段）
３１  情報記憶部（副情報記憶手段）
３２  チェンジャー（情報源）
【図１】
0004723964.tif 000002
【図２】
0004723964.tif 000003
【図３】
0004723964.tif 000004
【図４】
0004723964.tif 000005